(57)【要約】【課題】  立体画像データを生成する際に、ユーザが立体出力仕様の設定を毎回細かく設定することなく効果的に立体画像データを生成することができるようにした立体印刷処理装置およびその方法およびプログラムを提供する。【解決手段】  非立体画像データから抽出した特徴量を高さデータに変換する変換仕様を設定する立体仕様設定パターンを予め生成してプリンタドライバ１０７に保存しておき、非立体画像データから立体画像データを生成するに際して、プリンタドライバ１０７に保存された立体仕様設定パターンの中から所望の立体仕様設定パターンが選択され、この選択された立体仕様設定パターンを用いて、プリンタドライバ１０７において非立体画像データから立体画像データを生成する。【選択図】  図１
2006088572.tif 000002
【特許請求の範囲】
【請求項１】
非立体画像データから抽出した特徴量を高さデータに変換して立体画像データを生成し、前記非立体画像データと該生成した立体画像データとを画像形成装置へ送信することにより立体印刷を行う立体印刷処理装置において、
前記非立体画像データから抽出した特徴量を高さデータに変換する変換仕様を設定する立体仕様設定パターンを予め生成して保存する立体仕様設定パターン保存手段と、
前記非立体画像データから前記立体画像データを生成するに際して、前記立体仕様設定パターン保存手段に保存された立体仕様設定パターンの中から所望の立体仕様設定パターンを選択する選択手段と、
前記選択手段で選択された立体仕様設定パターンを用いて前記非立体画像データから前記立体画像データを生成する立体画像データ生成手段と
を具備することを特徴とする立体印刷処理装置。
【請求項２】
前記立体仕様設定パターンは、
前記非立体画像データに含まれる色情報を特徴量として該色情報に対応して前記高さデータを指定する設定を含む
ことを特徴とする請求項１記載の立体印刷処理装置。
【請求項３】
前記立体仕様設定パターンは、
前記非立体画像データに含まれるフォントの種類を特徴量として該フォントの種類に対応して前記高さデータを指定する設定を含む
ことを特徴とする請求項１記載の立体印刷処理装置。
【請求項４】
前記立体仕様設定パターンは、
前記非立体画像データに付加されたウオーターマークパターンを特徴量として該ウオーターマークパターンに対応して前記高さデータを指定する設定を含む
ことを特徴とする請求項１記載の立体印刷処理装置。
【請求項５】
前記立体仕様設定パターンは、
前記立体画像データに含まれる立体領域の縁部を含む立体形状を指定する設定を含む
ことを特徴とする請求項１乃至３のいずれかに記載の立体印刷処理装置。
【請求項６】
前記立体仕様設定パターンは、
前記非立体画像データの種類に対応して設定され、
前記選択手段は、
前記非立体画像データの種類に対応して所望の立体仕様設定パターンを選択する
ことを特徴とする請求項１乃至３のいずれかに記載の立体印刷処理装置。
【請求項７】
前記立体仕様設定パターンは、
名前が付されて管理され、
外部端末若しくは記憶媒体を介して前記立体仕様設定パターン保存手段にインストールされて保存される
ことを特徴とする請求項１乃至６のいずれかに記載の立体印刷処理装置。
【請求項８】
非立体画像データから抽出した特徴量を高さデータに変換して立体画像データを生成し、前記非立体画像データと該生成した立体画像データとを画像形成装置へ送信することにより立体印刷を行う立体印刷処理装置の制御方法において、
前記非立体画像データから抽出した特徴量を高さデータに変換する変換仕様を設定した立体仕様設定パターンを予め生成して立体仕様設定パターン保存手段に保存し、
前記非立体画像データから前記立体画像データを生成するに際して、前記立体仕様設定パターン保存手段に保存された立体仕様設定パターンの中から所望の立体仕様設定パターンを選択手段により選択し、
前記選択手段で選択された立体仕様設定パターンを用いて前記非立体画像データから前記立体画像データを立体画像データ生成手段により生成する
ことを特徴とする立体印刷処理装置の制御方法。
【請求項９】
立体印刷処理装置としてコンピュータを機能させるためのプログラムであって、
前記非立体画像データから抽出した特徴量を高さデータに変換する変換仕様を設定する立体仕様設定パターンを予め生成して保存する立体仕様設定パターン保存手段、
前記非立体画像データから前記立体画像データを生成するに際して、前記立体仕様設定パターン保存手段に保存された立体仕様設定パターンの中から所望の立体仕様設定パターンを選択する選択手段、
前記選択手段で選択された立体仕様設定パターンを用いて前記非立体画像データから前記立体画像データを生成する立体画像データ生成手段、
として前記コンピュータを機能させるためのプログラム。
【発明の詳細な説明】
【技術分野】
【０００１】
本発明は、非立体画像データから、立体画像データを生成して立体印刷処理を行う立体印刷処理装置およびその制御方法に関し、特に、予め設定した立体仕様設定パターンを用いることによって、ユーザが立体出力仕様の設定を毎回細かく設定することなく効果的に立体画像データを生成することができるようにした立体印刷処理装置およびその方法およびプログラムに関する。
【背景技術】
【０００２】
従来より、２次元方向（縦・横）だけでなく、印刷トナーに発泡トナーを使用して、３次元方向（高さ方向）にも作成者の意図を反映するような印刷を行うことができる立体印刷技術が存在した。
【０００３】
このような立体印刷を行う際には、非立体画像データに含まれる各特長量を立体画像の高さに変換する仕様を決定する立体出力仕様設定を行う必要があった。
【０００４】
特許文献１では、立体出力仕様設定を行う際、非立体画像の明度、彩度、画像エッジ、画像密度などの特徴量を検出して、画像の種類に応じて適切な特徴量を用いて立体画像のデータを生成する画像形成方法が提案されている。
【０００５】
特許文献１の技術では、非立体画像の画像の種類（油絵、壁紙、版画、デザイン画、線図、写真、自然画等）に応じて、立体画像データを生成し、原画が有する立体の独特な質感を再現することができた。
【０００６】
また、画像の種類に応じて立体画像データを生成する際には、出力階調の補正等の設定作業を行い、ユーザの好みに応じた形状に立体印刷を行っていた。
【特許文献１】特許公開２００４−７８６９７号公報
【発明の開示】
【発明が解決しようとする課題】
【０００７】
しかし、特許文献１の技術では、立体画像データを生成する際の補正等の設定作業を保存する機能は提案されておらず、一度立体印刷が行われた後である次回以降に同じ印刷を行う場合にも、立体画像データを生成する際の出力階調の補正作業を再度行う必要があった。
【０００８】
また、特許文献１の技術は、表現する非立体画像の画像の種類（油絵、壁紙、版画等）に応じて効果的な立体印刷が行われるように立体印刷データが生成されていたが、当該非立体画像の描かれている内容を効果的に表現する（例えば、グラフの大小を立体の高さに反映させることや、特定の文字だけ立体印刷させる等）提案はなされていなかった。
【０００９】
そこで、この発明は、立体画像データを生成する際に、ユーザが立体出力仕様の設定を毎回細かく設定することなく効果的に立体画像データを生成することができるようにした立体印刷処理装置およびその方法およびプログラムを提供することを目的とする。
【課題を解決するための手段】
【００１０】
上記目的を達成する為、請求項１の発明は、非立体画像データから抽出した特徴量を高さデータに変換して立体画像データを生成し、前記非立体画像データと該生成した立体画像データとを画像形成装置へ送信することにより立体印刷を行う立体印刷処理装置において、前記非立体画像データから抽出した特徴量を高さデータに変換する変換仕様を設定する立体仕様設定パターンを予め生成して保存する立体仕様設定パターン保存手段と、前記非立体画像データから前記立体画像データを生成するに際して、前記立体仕様設定パターン保存手段に保存された立体仕様設定パターンの中から所望の立体仕様設定パターンを選択する選択手段と、前記選択手段で選択された立体仕様設定パターンを用いて前記非立体画像データから前記立体画像データを生成する立体画像データ生成手段とを具備することを特徴とする。
【００１１】
また、請求項２の発明は、請求項１の発明において、前記立体仕様設定パターンは、前記非立体画像データに含まれる色情報を特徴量として該色情報に対応して前記高さデータを指定する設定を含むことを特徴とする。
【００１２】
また、請求項３の発明は、請求項１の発明において、前記立体仕様設定パターンは、前記非立体画像データに含まれるフォントの種類を特徴量として該フォントの種類に対応して前記高さデータを指定する設定を含むことを特徴とする。
【００１３】
また、請求項４の発明は、請求項１の発明において、前記立体仕様設定パターンは、前記非立体画像データに付加されたウオーターマークパターンを特徴量として該ウオーターマークパターンに対応して前記高さデータを指定する設定を含むことを特徴とする。
【００１４】
また、請求項５の発明は、請求項１及至３のいずれかの発明において、前記立体仕様設定パターンは、前記立体画像データに含まれる立体領域の縁部を含む立体形状を指定する設定を含むことを特徴とする。
【００１５】
また、請求項６の発明は、請求項１及至３のいずれかの発明において、前記立体仕様設定パターンは、前記非立体画像データの種類に対応して設定され、前記選択手段は、前記非立体画像データの種類に対応して所望の立体仕様設定パターンを選択することを特徴とする。
【００１６】
また、請求項７の発明は、請求項１及至６いずれかの発明において、前記立体仕様設定パターンは、名前が付されて管理され、外部端末若しくは記憶媒体を介して前記立体仕様設定パターン保存手段にインストールされて保存されることを特徴とする。
【００１７】
また、請求項８の発明は、非立体画像データから抽出した特徴量を高さデータに変換して立体画像データを生成し、前記非立体画像データと該生成した立体画像データとを画像形成装置へ送信することにより立体印刷を行う立体印刷処理装置の制御方法において、前記非立体画像データから抽出した特徴量を高さデータに変換する変換仕様を設定した立体仕様設定パターンを予め生成して立体仕様設定パターン保存手段に保存し、前記非立体画像データから前記立体画像データを生成するに際して、前記立体仕様設定パターン保存手段に保存された立体仕様設定パターンの中から所望の立体仕様設定パターンを選択手段により選択し、前記選択手段で選択された立体仕様設定パターンを用いて前記非立体画像データから前記立体画像データを立体画像データ生成手段により生成することを特徴とする。
【００１８】
また、請求項９の発明は、立体印刷処理装置としてコンピュータを機能させるためのプログラムであって、前記非立体画像データから抽出した特徴量を高さデータに変換する変換仕様を設定する立体仕様設定パターンを予め生成して保存する立体仕様設定パターン保存手段、前記非立体画像データから前記立体画像データを生成するに際して、前記立体仕様設定パターン保存手段に保存された立体仕様設定パターンの中から所望の立体仕様設定パターンを選択する選択手段、前記選択手段で選択された立体仕様設定パターンを用いて前記非立体画像データから前記立体画像データを生成する立体画像データ生成手段、として前記コンピュータを機能させる。
【発明の効果】
【００１９】
本発明によれば、非立体画像データから抽出した特徴量を高さデータに変換する変換仕様を設定した立体仕様設定パターンを予め生成して立体仕様設定パターン保存手段に保存し、非立体画像データから立体画像データを生成するに際して、立体仕様設定パターン保存手段に保存された立体仕様設定パターンの中から所望の立体仕様設定パターンを選択手段により選択し、選択手段で選択された立体仕様設定パターンを用いて非立体画像データから立体画像データを立体画像データ生成手段により生成するように構成したので、ユーザが立体出力仕様の設定を毎回細かく設定することなく効果的に立体画像データを生成することができるという効果を奏する。
【発明を実施するための最良の形態】
【００２０】
以下、本発明を適用した立体印刷処理装置およびその方法およびプログラムについて、添付図面を参照して詳しく説明を行う。
【００２１】
まず、本発明である立体印刷処理装置を実施するシステムの構成について図１を参照して説明する。
【００２２】
図１は、本発明を適用した立体印刷処理装置を実施するシステムの構成を示した構成図である。
【００２３】
まず、本発明を実施するシステムは、発泡トナーを用いて立体印刷を行うことができるプリンタ１０４、立体画像データと非立体画像データをプリンタ１０４に送信するクライアントＰＣ（Personal Computer）−１０３とがネットワーク１０９を通して接続されている。
【００２４】
クライアントＰＣ−１０３には、ユーザに立体印刷設定ダイアログ等を表示する表示部１０１、ユーザがクライアントＰＣ−１０３に立体仕様設定パターン選択等の指示を送る機能を持つキーボード、マウス等の入力／操作部１０２が接続されている。
【００２５】
また、クライアントＰＣ−１０３は、クライアントＰＣ−１０３を制御する制御部１０５、画像データ等を記憶する記憶部１０７、非立体画像データから立体画像データ生成するプリンタドライバ１０６、ネットワーク１０９との情報のやり取りを行うネットワーク・インタフェース（以下、ＮＷ  Ｉ／Ｆと示す）１０８、各装置を制御する制御部１０５で構成されている。
【００２６】
また、印刷される非立体画像データは、クライアントＰＣの記憶部１０７に記憶されており、記憶部１０７からプリンタドライバ１０６に送付されてプリンタドライバ１０６において、該非立体画像データに基づき、ユーザに選択された立体仕様設定パターンに従って、立体画像データが生成される。
【００２７】
そして、プリンタドライバ１０６で生成された立体画像データと非立体画像データとがプリンタドライバからＮＷ  Ｉ／Ｆ１０８に送られ、ＮＷ  Ｉ／Ｆ１０８よりネットワーク１０９を通じてプリンタ１０４に送信され、プリンタ１０４において、受信した立体画像データと非立体画像データとに基づき立体印刷が行われる。
【００２８】
次に、画像データが処理される過程について図２を参照して説明する。
【００２９】
図２は、画像データの処理を行う部分の概略を示した概略ブロック図である。
【００３０】
画像データは、画像入力部２０１から、次に、画像処理部２０２、さらに画像形成部２０３へと流れる。
【００３１】
画像入力部２０１において、立体印刷を行う元となる非立体の画像データが入力されて、次に画像処理部２０２に送られ、画像処理部２０２において、非立体画像データからユーザに選択された立体仕様設定パターンに従って立体画像データが作成されて、作成された立体画像データと非立体画像データとが画像形成部２０３に送られる。
【００３２】
画像形成部２０３では、送られた立体画像データと非立体画像データを元に立体印刷が行われる。
【００３３】
また、画像入力部２０１は、図１では画像データを記憶している記憶部１０７が相当し、画像処理部２０２は、図１ではプリンタドライバ１０６が相当し、画像形成部２０３は図１ではプリンタ１０４が相当する。
【００３４】
なお、画像入力部２０１はスキャナや、デジタルカメラの記録メディアから画像データを読み取るリーダでもよい。
【００３５】
次に、プリンタドライバ１０６において、ユーザによって立体仕様設定パターンが選択される処理について添付図面（図３、図４、図５）を参照して説明する。
【００３６】
図３は、立体仕様設定パターンを選択する際に表示部１０１に表示される立体印刷設定ダイアログ画面３０１を示す画面構成図である。
【００３７】
ユーザが記憶部１０７に記憶されている非立体画像データを立体印刷させる時には、入力／操作部１０２より操作を行って、当該非立体画像データを編集するアプリケーションから図３に示す立体印刷設定ダイアログ画面３０１を表示部１０１に表示させ、表示させた立体印刷設定ダイアログ画面３０１より、立体仕様設定パターンを選択する。
【００３８】
ここで、ユーザが、非立体画像データを立体画像の高さに変換する立体出力仕様が記載された立体仕様設定パターンを選択する際に、プリンタドライバ１０６で行われる処理について図４を参照して説明を行う。
【００３９】
図４は、立体印刷設定ダイアログ画面３０１でユーザが立体仕様設定パターンを選択する際に行われる処理フローを示すフローチャートである。
【００４０】
表示部１０１に立体印刷設定ダイアログ画面３０１が表示されると、ユーザがパターンを追加する場合には（ステップ４０１でＹＥＳ）、立体印刷設定ダイアログ画面３０１の追加ボタン３０５を押して図５に示す追加ダイアログ画面５０１を開き、立体仕様設定パターンを追加する。
【００４１】
ここで、追加ダイアログ画面５０１について図５を参照して説明する。
【００４２】
図５は、追加ダイアログ画面５０１を示す画面構成図である。
【００４３】
追加ダイアログ画面５０１では、ユーザが、ファイルの場所をコンボボックス５０２で選択して、コンボボックス５０２に表示されている場所にある立体仕様設定パターンをボックス５０３に表示させ、目的の立体仕様設定パターンをボックス５０３より選択してボックス５０５に表示させ、追加ボタン５０４を押すことにより、立体印刷設定ダイアログ画面３０１のコンボボックス３０３に立体仕様設定パターンを追加することが出来る。
【００４４】
図４で示すフローチャートに戻り、追加ダイアログ画面５０１より立体仕様設定パターンが追加された場合や（ステップ４０２）、立体仕様設定パターンの追加が不要な場合は（ステップ４０１でＮＯ）、次に、立体仕様設定パターンを編集するかどうかを判断する（ステップ４０３）。
【００４５】
立体仕様設定パターンの編集は、編集ボタン３０４が押されることで、コンボボックス３０３に表示された立体仕様設定パターンの名前と、コンボボックスに表示する選択肢の順番の編集が行われる。
【００４６】
立体仕様設定パターンの名前の編集が行われる、もしくは、名前の編集が不要な場合は、次のステップへいく。
【００４７】
そして、必要であれば、ユーザはコンボボックス３０３に表示された立体仕様設定パターンから、非立体画像データから効果的な立体画像データを生成する立体仕様設定パターンの選択を変更する（ステップ４０６）。
【００４８】
立体仕様設定パターンの選択が変更されると、次のステップへ進む。
【００４９】
そして、ユーザが立体仕様設定パターンの詳細設定の変更をする場合は、ユーザによって詳細設定ボタン３０６が押されて、詳細設定を変更する為に、ユーザが選択した立体仕様設定パターンに応じた詳細設定画面が表示され、詳細設定が変更される（ステップ４０９）。
【００５０】
詳細設定画面については、後で詳しく説明する。
【００５１】
立体仕様設定パターンの各設定がすべて終了してＯＫボタン３０７が押されると、立体仕様設定パターンの選択が終了する。
【００５２】
立体仕様設定パターンが選択されると、選択された立体仕様設定パターンで非立体画像データから立体画像データが生成されてプリンタ１０４に送信され、立体印刷が行われる。
【００５３】
なお、立体印刷せずに、非立体画像データをそのままプリンタ１０４に送信する場合は、キャンセルボタン３０８が押される。
【００５４】
なお、立体仕様設定パターンの追加（ステップ４０１）や、立体仕様設定パターンの編集（ステップ４０３）や、立体仕様設定パターン選択の変更（ステップ４０６）や、立体仕様設定パターンの詳細設定の変更（ステップ４０８）が行われる順序は、上述した順序で行われなくてもよく、順番等は関係なく、立体印刷設定ダイアログ画面３０１からいつでも行えるようにしても良い。
【００５５】
次に、立体仕様設定パターンの詳細設定を変更することが出来る、詳細設定画面について図６、図７、図８、図９、図１０を参照して説明する。
【００５６】
図６は、詳細設定画面６０１を示す画面構成図である。
【００５７】
詳細設定画面６０１は、非立体画像データから立体画像データを生成する為に必要な立体仕様を設定するテンプレートであり、非立体画像データの明度、彩度、エッジ、画像密度等の特徴量に応じて立体の高さが設定される詳細設定画面である。
【００５８】
立体印刷設定ダイアログ画面３０１からユーザが選択した立体仕様設定パターンによっては、詳細設定の変更をするのに詳細設定画面６０１が表示される。
【００５９】
詳細設定画面６０１では、非立体画像の明度、彩度、エッジ、画像密度等に応じて立体印刷される高さが決定されるので、地図の等高線の違いが等高線に記載された色の明度の違いによって記されている地図の場合には、明度の違いを立体印刷させる高さに反映させると、非立体画像データである地図の等高線の状態を高さ方向に効果的に立体印刷することができる（この印刷効果については、後で詳しく説明する）。
【００６０】
詳細設定画面６０１の基本設定に表示されている高さ指定の欄より、特徴量から高さを指定することが出来き、コンボボックス６０３から高さに反映させる特徴量を選択する。
【００６１】
また、計算式指定ボタン６０２で複数の特徴量から乗算、加算処理などを行った値を高さに指定することも可能である。
【００６２】
高さを指定する他に、立体印刷を施す部分の盛り上がり形状や色の指定、縁取り等の強調指定、シェードパターン指定、立体出力順序指定、重なり指定等の選択を行うことが出来る。
【００６３】
さらに詳細設定画面６０１は、立体仕様設定パターンを保存する画面としても使用でき、詳細設定画面６０１上で設定された内容を、詳細設定画面６０１内の立体出力設定パターンの欄で、新しい立体仕様設定パターンとして新しい名前を入力して保存ボタン６０４を押すことで保存することも出来る。
【００６４】
このようにして、詳細設定画面６０１内の立体出力設定パターンを変化させて、新しい名前で保存することで今後の立体印刷のための、立体印刷設定パターンを生成することが出来る。
【００６５】
また、詳細設定画面６０１は、読み込みボタン６０５で、詳細設定画面６０１に示されたテンプレートと同じテンプレートの立体仕様設定パターンを外部端末もしくは記憶媒体から呼び出して画面上に立体仕様の詳細を表示することができる。
【００６６】
次に、図７は、詳細設定画面７０１を示す画面構成図である。
【００６７】
詳細設定画面７０１は、非立体画像データから立体画像データを生成する為に必要な立体仕様を設定するテンプレートであり、非立体画像データに設定された色に応じて立体の高さが設定される詳細設定画面である。
【００６８】
立体印刷設定ダイアログ画面３０１からユーザが選択した立体仕様設定パターンによっては、詳細設定の変更をするのに詳細設定画面７０１が表示される。
【００６９】
図７には、色に応じて高さを決定する表が配置されている。
【００７０】
また、色に応じて高さを決定する表の下には、設定した内容を新しい名前で保存することができる保存ボタン７０２と、詳細設定画面７０１に示されたテンプレートと同じテンプレートの立体仕様設定パターンを外部端末もしくは記憶媒体から読み込んで設定された内容を詳細設定画面７０１上に読み出すことができる読み込みボタン７０３が配置されている。
【００７１】
保存ボタン７０２を使用することで、詳細設定画面７０１内の立体出力設定パターンを変化させて、新しい名前で保存し、今後の立体印刷のための立体印刷設定パターンを生成することが出来る。
【００７２】
最下部には詳細設定画面７０１で設定した内容を適用して元の画面に戻るＯＫボタン７０４と該内容を適用せずに元の画面に戻るキャンセルボタン７０５が配置されている。
【００７３】
地図データに道路や特殊な施設が特定の色で表現されている場合は、詳細設定画面７０１で示すテンプレートを使用して、色によって高さの指定をすることで、特定の道路や特殊な施設だけを立体印刷して強調できる地図用の立体仕様設定パターンを作成することができる。
【００７４】
次に、図８は、詳細設定画面８０１を示す画面構成図である。
【００７５】
詳細設定画面８０１は、非立体画像データから立体画像データを生成する為に必要な立体仕様を設定するテンプレートであり、非立体画像データに設定されているフォントに応じて立体の高さが設定される詳細設定画面である。
【００７６】
立体印刷設定ダイアログ画面３０１からユーザが選択した立体仕様設定パターンによっては、詳細設定の変更をするのに詳細設定画面８０１が表示される。
【００７７】
詳細設定画面８０１には、フォントごとに高さを決定する表が配置されている。
【００７８】
また、フォントごとに高さを決定する表の下には、設定した内容を新しい名前で保存することが出来る保存ボタン８０２と詳細設定画面８０１に示したテンプレートと同じテンプレートの立体仕様設定パターンを外部端末もしくは記憶媒体から読み込んで設定された内容を詳細設定画面８０１上に読み出すことができる読み込みボタン８０３が配置されている。
【００７９】
保存ボタン８０２を使用することで、詳細設定画面８０１内の立体出力設定パターンを変化させて、新しい名前で保存し、今後の立体印刷のための立体印刷設定パターンを生成することが出来る。
【００８０】
最下部には詳細設定画面８０１で設定した内容を適用して元の画面に戻るＯＫボタン８０４と該内容を適用せずに元の画面に戻るキャンセルボタン８０５が配置されている。
【００８１】
非立体画像データである地図データを立体印刷する場合に、特定の地図記号を特定のフォントで記入して、立体仕様設定画面８０１で該特定フォントだけ立体印刷するように設定しておけば、地図データ上の地図記号のなかで特定の地図記号だけを立体印刷して目立たせることが出来る。
【００８２】
次に、図９は、詳細設定画面９０１を示す画面構成図である。
【００８３】
詳細設定画面９０１は、非立体画像デ−タの画面上に、ウォーターマークパターンとしての立体プリントを生成する為の、立体仕様を設定するテンプレートを表示した詳細設定画面である。
【００８４】
立体印刷設定ダイアログ画面３０１からユーザが選択した立体仕様設定パターンによっては、詳細設定の変更をするのに詳細設定画面９０１が表示される。
【００８５】
ここで作成されるウォーターマークパターンは、立体印刷システムを利用して、元データとなる非立体画像データに微小な凹凸を重畳させるように立体印刷を行い、立体印刷された用紙は凹凸の陰影が利用されて、コピーされるときに用紙に当てられる光によって立体印刷された凹凸に微小な陰影が発生し、その際の陰影もコピーされる対象となって印刷されることで、ウォーターマークとしての機能を果たすことになる。
【００８６】
詳細設定画面９０１も、詳細設定画面６０１、７０１、８０１と同様に、設定した内容を保存ボタン９１４を使用して新しい名前で保存する機能と、詳細設定画面９０１で示されたテンプレートと同じテンプレートを持つ立体仕様設定パターンを読み込みボタン９１５を使用して外部端末もしくは記憶媒体から読み込み設定内容を表示させる機能を持つ。
【００８７】
保存ボタン９１４を使用することで、詳細設定画面９０１内の立体出力設定パターンを変化させて、新しい名前で保存し、今後の立体印刷のための立体印刷設定パターンを生成することが出来る。
【００８８】
詳細設定画面９０１には、ウォーターマークの詳細設定が行われる、各種操作ボタン等が配置されている。
【００８９】
ユーザがウォーターマークを作成する際には、チェックボックス９０２にチェックが入れられ、ウォーターマークの種類をコンボボックス９０３より選択し、ページのどの場所にウォーターマークを作成するかをコンボボックス９０４より選択する。
【００９０】
ウォーターマークの種類に関しては、コンボボックス９０３で選択される以外に、チェックボックス９０５にチェックが入れられて、ユーザが希望する任意の文字がボックス９０６に入力されて、該文字をウォーターマークとして印刷するようにすることも出来る。
【００９１】
また、ユーザがパスワードを入力することで、ウォーターマークの印刷の解除にはパスワード認証を必要とすることも出来る。
【００９２】
ユーザがパスワードのチェックボックス９０７にチェックを入れてパスワードを入れるボックス９０８にパスワードを入力して、ＯＫボタンを押すと、再度、詳細設定画面９０１を開いた時には、パスワードを入力しないとＯＫボタン９０９とキャンセルボタン９１０以外の操作はロックが掛けられた状態となっており、パスワードを入力するボックス９０８にパスワードを入力してＰＷＯＫボタン９１３を押してパスワード認証に合致すると、ＯＫボタン９０７とキャンセルボタン９１０以外のボタンも使用可能になり、チェックボックス９０２に入れられたチェックを外すことが出来てウォーターマークの印刷をしないようにすることが出来る。
【００９３】
また、ＯＫボタン９０９は詳細設定画面９０１で設定した内容を適用して元の画面に戻る機能をもち、キャンセルボタン９１０は、該内容を適用せずに元の画面に戻る機能を持つ。
【００９４】
このように詳細設定画面９０１において、元画像の非立体画像データから、ウォーターマークとしての立体画像データを生成する設定を行うことが出来る。
【００９５】
ウォーターマークに関しては、立体印刷に発泡トナーが使用されると、発泡トナーは白色なので、元原稿に対して不要な文様を付加することなくウォーターマークを行うことが可能となる。
【００９６】
また、発泡トナーは定着時に発泡するので、特殊な用紙でなく普通の印刷用紙にウォーターマークパターンを生成することができる。
【００９７】
なお、詳細設定画面９０１より、ウォーターマークの立体パターン以外に、点字ボタン９１２やフォームボタン９１１を使用して、点字やフォーム等の立体パターンを形成するように設定することも可能とする。
【００９８】
次に、図１０は、詳細設定画面１００１を示す画面構成図である。
【００９９】
詳細設定画面１００１は、非立体画像データから立体画像データを生成する為に必要な立体仕様を設定するテンプレートであり、非立体画像データに設定されている色に応じて立体の高さが設定される詳細設定画面である。
【０１００】
立体印刷設定ダイアログ画面３０１からユーザが選択した立体仕様設定パターンによっては、詳細設定の変更をするのに詳細設定画面１００１が表示される。
【０１０１】
詳細設定画面１００１では、色相環によって高さを割り当てることができる。
【０１０２】
詳細設定画面１００１では、色相環による高さ割り当て指定の欄には、色相環で高さを設定する際の高さの最大値を入力する入力欄１０１１が存在する。
【０１０３】
最大値を入力する入力欄１０１１の下にある、色相環による高さ割り当て指定の欄には、色相環の開始位置を指定するコンボボックス１００２と色相環の終了位置を指定するコンボボックス１００３が存在し、角度の割り当て方向を選択するコンボボックス１００４と高さ方向の変化方法を選択するコンボボックス１００５と、波の数を選択するコンボボックス１００６が表示されており、図１０で示した詳細設定画面１００１では、高さの最大値が３ｍｍと指定され、開始位置を指定するコンボボックス１００３に１０Ｙの色が指定されており、終了位置を指定するコンボボックスでは５Ｇの色が指定されている。
【０１０４】
また、角度割り当て方向を選択するコンボボックス１００４では、右回りが指定され、高さ変化方法を指定するコンボボックス１００５は、波型が指定され、波の数を選択するコンボボックス１００６は、１／２が指定されており、その結果、色による高さ方向の変化の様子が、色相環による高さ割り当て指定の欄の最下部に表示されている。
【０１０５】
また、色相環による高さ割り当て指定の欄の下には、設定した内容を新しい名前で保存することが出来る保存ボタン１００７と、詳細設定画面１００１に示したテンプレートと同じテンプレートの立体仕様設定パターンを外部端末もしくは記憶媒体から読み込んで設定された内容を詳細設定画面１００１上に読み出すことができる読み込みボタン１００８が配置されている。
【０１０６】
保存ボタン１００７を使用することで、詳細設定画面１００１内の立体出力設定パターンを変化させて、新しい名前で保存し、今後の立体印刷のための立体印刷設定パターンを生成することが出来る。
【０１０７】
最下部には詳細設定画面８０１で設定した内容を適用して元の画面に戻るＯＫボタン１００９と該内容を適用せずに元の画面に戻るキャンセルボタン１０１０が配置されている。
【０１０８】
図６、７、８、９、１０に示した詳細設定画面は、立体印刷設定ダイアログ画面３０１のコンボボックス３０３で選択された立体仕様設定パターンに応じて、該立体仕様設定パターンに対応付けられた詳細設定画面が表示されるが、一つの立体仕様設定パターンに複数の詳細設定画面が対応付けられて、複数の詳細設定画面が表示されても良い。
【０１０９】
また、一つの立体仕様設定パターンに複数の詳細設定画面を対応させた場合には、対応付けた詳細設定画面のいくつかの詳細設定画面を対応付けから外すこともできるようにしても良い。
【０１１０】
なお、立体印刷設定ダイアログ画面３０１から、テンプレートボタン３１０を使用して図６、７、８、９、１０に示した立体仕様設定パターンの詳細設定を行う詳細設定画面を呼び出し、詳細設定を行った後、名前を付けて立体仕様設定パターンとして保存することを行ってもよい。
【０１１１】
次に、本発明を適用した立体印刷処理装置で構成されたシステムによって、実際に、非立体画像データが効果的に立体印刷された様子を添付図面を参照して説明する。
【０１１２】
図１１は、立体印刷設定ダイアログ画面３０１から、地図パターンＡの立体仕様設定パターンが選択されて、非立体画像データである地図が効果的に立体印刷された結果を示す説明図である。
【０１１３】
図１１（ａ）は、地図の中で明度の違う色で記載された等高線が立体印刷された様子を示している。
【０１１４】
等高線１１０１、等高線１１０２、等高線１１０３は、地図上で、明度の違う色で記載されており、また、地形の高さの違いを表現している。
【０１１５】
各等高線で示された地点の位置関係は、等高線１１０１が一番高く、等高線１１０３が一番低い地点を示している。
【０１１６】
図１１（ｂ）は、立体印刷された図１１（ａ）に示した等高線である地図をライン１１１０で切った時の断面図を示している。
【０１１７】
等高線１１０１、等高線１１０２、等高線１１０３がライン１１１０で切られた時の断面図は、等高線１１０１に相当する部分が図１１（ｂ）では断面図１１０４であり、等高線１１０２に相当する部分が図１１（ｂ）では断面図１１０５であり、等高線１１０３に相当する部分が図１１（ｂ）では断面図１１０６である。
【０１１８】
このように、標高の高い地点を示す等高線が、立体印刷される上でも、立体プリントとしての高さが高くなるように印刷されているのが分かる。
【０１１９】
このように、明度の違う部分の高さを異ならせる立体仕様設定パターンである地図パターンＡを選択して立体印刷させることで、実際の地形に近い立体出力を行うことができる。
【０１２０】
ユーザが立体印刷を所望する非立体印刷画像の元データが、地図データの場合には、例えば、図１１で示されるように、立体印刷設定ダイアログ画面３０１から、地図パターンＡの立体仕様設定パターンが選択されて、地図データが効果的に立体印刷される。
【０１２１】
図１２は、立体印刷設定ダイアログ画面３０１で、グラフパターンＡの立体仕様設定パターンが選択されて、非立体画像データであるグラフが効果的に立体印刷された結果を示す説明図である。
【０１２２】
図１２（ｃ）は、棒の色が異なる色で記載されている棒グラフが、グラフパターンＡの立体仕様設定パターンにより立体画像データが作成されて、立体印刷されたグラフを示している。
【０１２３】
グラフパターンＡは、異なる色で記載されたグラフの棒の面積量を高さに反映させる立体仕様設定パターンである。
【０１２４】
図１２（ｄ）は、立体印刷された図１２（ｃ）に示したグラフをライン１２１０で切った時の断面図を示している。
【０１２５】
図１２（ｃ）の棒１２０１、棒１２０２、棒１２０３、棒１２０４に対応するのが、それぞれ図１２（ｄ）の断面図１２０５、断面図１２０６、断面図１２０７、断面図１２０８である。
【０１２６】
このように、図１２（ｃ）に示された棒グラフの棒の面積に比例するように、高さが調節されて立体印刷される。
【０１２７】
立体印刷されたグラフを見たユーザは、棒グラフの棒の長さだけではなく、立体印刷された棒の立体的な高さでもグラフで表現される値の大小を判断できるので、グラフに示す内容をより効果的に表現することが出来、また、視覚障害をもつ人用のグラフとしても利用できる。
【０１２８】
ユーザが立体印刷を所望する非立体印刷画像の元データが、グラフデータの場合には、例えば、図１２で示されるように、立体印刷設定ダイアログ画面３０１から、グラフパターンＡの立体仕様設定パターンが選択されて、グラフデータが効果的に立体印刷される。
【０１２９】
なお、グラフは、棒グラフだけでなく、円グラフに対しても、棒グラフと同様に、グラフの値を示す各部分を異なる色で表現して、色が占める部分の面積に比例して高さを設定する立体仕様設定パターンを使用することにより、円グラフを効果的に立体印刷するようにしてもよい。
【０１３０】
また、棒グラフや円グラフだけではなく、折れ線グラフに対しても、折れ線グラフで示す値の大小に応じて折れ線を色の明度を異なるようにグラフを作成し、色の明度に応じて立体プリントの高さを設定する立体仕様設定パターンを使用することにより、折れ線グラフで示す値が大きいところは、立体印刷される部分の高さも高くなるようにして、効果的な立体印刷を行ってもよい。
【０１３１】
なお、本発明を適用した立体印刷処理装置は、図２で示した画像入力部２０１と画像処理部２０２と画像形成部２０３が一体となった複合機のようなシステムでも良い。
【０１３２】
なお、立体仕様設定パターンを適用する非立体画像データは、全ての非立体画像データに適用するのではなく、ページ毎、オブジェクト毎に適用する範囲を設定するようにしてもよい。
【０１３３】
もしくは、任意に立体仕様設定パターンを適用する範囲を指定するようにしても良い。
【産業上の利用可能性】
【０１３４】
この発明は、非立体画像データから立体画像データを生成して立体印刷処理を行う立体画像処理装置において利用可能である。
【０１３５】
この発明によれば、立体印刷が行われる非立体画像データの種類に応じてユーザが立体仕様設定パターンを選択することで、効果的に立体立体画像データを効果的に生成することができる。
【図面の簡単な説明】
【０１３６】
【図１】本発明を適用した立体印刷処理装置を実施するシステムの構成を示した構成図。
【図２】画像データの処理を行う部分の概略を示した概略ブロック図。
【図３】立体仕様設定パターンを選択する際に表示部１０１に表示される立体印刷設定ダイアログ画面３０１を示す画面構成図。
【図４】立体印刷設定ダイアログ画面３０１でユーザが立体仕様設定パターンを選択する際に行われる処理フローを示すフローチャート。
【図５】追加ダイアログ画面５０１を示す画面構成図である。
【図６】詳細設定画面６０１を示す画面構成図。
【図７】詳細設定画面７０１を示す画面構成図。
【図８】詳細設定画面８０１を示す画面構成図。
【図９】詳細設定画面９０１を示す画面構成図。
【図１０】詳細設定画面１００１を示す画面構成図。
【図１１】立体印刷設定ダイアログ画面３０１から、地図パターンＡの立体仕様設定パターンが選択されて、非立体画像データである地図が効果的に立体印刷された結果を示す説明図。
【図１２】立体印刷設定ダイアログ画面３０１で、グラフパターンＡの立体仕様設定パターンが選択されて、非立体画像データであるグラフが効果的に立体印刷された結果を示す説明図。
【符号の説明】
【０１３７】
１０１    表示部
１０２    入力／操作部
１０３    クライアントＰＣ
１０４    プリンタ
１０５    制御部
１０６    プリンタドライバ
１０７    記憶部
１０８    ネットワーク・インタフェース
１０９    ネットワーク
３０１    立体印刷設定ダイアログ画面
５０１    追加ダイアログ画面
６０１    詳細設定画面
７０１    詳細設定画面
８０１    詳細設定画面
９０１    詳細設定画面
【図１】
2006088572.tif 000003
【図２】
2006088572.tif 000004
【図３】
2006088572.tif 000005
【図４】
2006088572.tif 000006
【図５】
2006088572.tif 000007
【図６】
2006088572.tif 000008
【図７】
2006088572.tif 000009
【図８】
2006088572.tif 000010
【図９】
2006088572.tif 000011
【図１０】
2006088572.tif 000012
【図１１】
2006088572.tif 000013
【図１２】
2006088572.tif 000014